(57)【要約】【課題】  挿入口から記録媒体ホルダに記録媒体を装着するに際して、前記挿入口から前記記録媒体が差し込まれるのに応じて回転扉を開く記録媒体用開閉機構であって、挿入口からの異物などの侵入を防止しつつ、簡単かつ迅速に挿脱可能とする。【解決手段】  挿入口９と回転扉３を搭載して移動する移動体２と、前記回転扉３を内開き形式で開閉可能に前記移動体２に支持する支持手段５と、前記移動体２の移動を条件に回転扉３の開閉動作を可能にする運動伝達手段（１ｃ、５、７、８）と、移動体２を移動可能に収容する凹部空間を具備することとした。【選択図】        図８
2006221267.tif 000002
【特許請求の範囲】
【請求項１】
平板型記録媒体を差し込むための挿入口に回転扉を設けて常閉とし、前記挿入口の奥側に配置された記録媒体ホルダに前記記録媒体を装着するに際して、前記挿入口から前記記録媒体が差し込まれるのに応じて該回転扉を開く記録媒体用開閉機構であって、
外装部前面側と前記記録媒体ホルダとの間を移動する移動体と、
前記回転扉を内開き形式で開閉可能に前記移動体に支持する支持手段と、
前記移動体の前記移動を条件に前記回転扉の開閉動作を可能にする運動伝達手段と、
前記移動体を移動可能に収容する凹部空間とを具備することを特徴とする記録媒体用開閉機構。
【請求項２】
前記挿入口のまわりは、前記凹部空間の内部で前記記録媒体を把持可能な広さを有することを特徴とする請求項１記載の記録媒体用開閉機構。
【請求項３】
前記移動体は前記挿入口から前記記録媒体が差し込まれる向きの力に抗する向きに付勢されていることを特徴とする請求項１記載の記録媒体用開閉機構。
【請求項４】
前記記録媒体が前記回転扉を押し開けて前記挿入口へ進入するとき、前記常閉のための付勢手段の弾性で前記記録媒体を押圧することを特徴とする請求項１記載の記録媒体用開閉機構。
【請求項５】
前記移動体は案内手段により直線方向に往復動することを特徴とする請求項１から請求項４のうちのいずれか１項記載の記録媒体用開閉機構。
【請求項６】
前記移動体は支点軸を中心に揺動することを特徴とする請求項１から請求項４のうちのいずれか１項記載の記録媒体用開閉機構。
【発明の詳細な説明】
【技術分野】
【０００１】
この発明は、記録媒体用開閉機構、特にカードなどの平板状記録媒体を挿脱するのに用いる記録媒体用開閉機構に関する。
【背景技術】
【０００２】
従来、車載用の記録装置、再生装置等において、これに用いる記録媒体は、比較的大きさが大きくて、大きいが故に取り扱い操作も容易な、カセットテープ、ＣＤ、ＭＤなどであった。これらの記録媒体は本体の挿入口から挿入して使用されるが形状が大きいので、比較的挿入方向を規制するのが容易である。一方、近年、これらの記録媒体に代えて、各種のカード型など薄くて小型の平板状記録媒体が使用されつつある。
【０００３】
かかる平板状記録媒体（以下、単に記録媒体という。）は、よく知られるように、音楽情報、文字情報、画像情報などを記録する小さな記録媒体であり、半導体素子の高集積化により大容量で携帯性に優れている。しかし、かかる記録媒体は形状が小さく、また、薄くなっているので本体への出し入れが容易でない。この点の改良を課題とした技術として、例えば、扉の閉塞面に記録媒体が脱着可能な収納部を設け、この収納部に収納した記録媒体から記録情報を本体に供給可能にした技術がある（例えば、特許文献１参照）。
【０００４】
しかし、上記特許文献に開示された挿入口の防塵扉や、記録媒体を収容する扉などは本体の前面に外開きで構成された比較的大型の扉であり、外開きであることから相当のスペースを必要とするし、回動量も大きいので装着可能な状態になるまで相当の時間も費やす。
【０００５】
一方、記録媒体を車載用の記録、再生装置に使用する場合、防塵、静電気、液体混入等について特に留意しなければならず、挿入口を介して脱着する場合には、該挿入口に回転扉は欠かせない。
【０００６】
【特許文献１】特開２００２−１０８３９８号公報
【発明の開示】
【発明が解決しようとする課題】
【０００７】
従来の記録、再生装置では、開閉する扉そのものに記録媒体を収納し、この扉を本体の前面側に外開きとし、扉を開いてからでないと記録媒体の挿脱ができない構成であり、記録媒体の挿脱のために操作時間を費やすおそれがあるという課題があった。
【０００８】
この発明は上記のような課題を解決するためになされたもので、挿入口からの異物などの侵入を防止しつつ、簡単かつ迅速に挿脱可能な記録媒体用開閉機構を提供することを目的とする。
【課題を解決するための手段】
【０００９】
この発明に係る記録媒体用開閉機構は、平板型記録媒体を差し込むための挿入口に回転扉を設けて常閉とし、前記挿入口の奥側に配置されたホルダに前記記録媒体を装着するに際して、前記挿入口から前記記録媒体が差し込まれるのに応じて前記回転扉を搭載して外装部前面側と前記記録媒体ホルダとの間を移動する移動体と、前記回転扉を内開き形式で開閉可能に前記移動体に支持する支持手段と、前記移動体の前記移動を条件に前記回転扉の開閉動作を可能にする運動伝達手段と、前記移動体を移動可能に収容する凹部空間とを具備するものである。
【発明の効果】
【００１０】
この発明によれば、挿入口からの異物などの侵入を防止しつつ、記録媒体を簡単かつ迅速に挿入口を介して挿脱できる記録媒体用開閉機構を提供することができる。
【発明を実施するための最良の形態】
【００１１】
実施の形態１．
図１において、車載用機器の一例としてオーディオ装置２０を示す。このオーディオ装置２０の前面には平板型記録媒体の一例としてカード型記録媒体４を差し込むための挿入口９が形成されている。挿入口９まわりの構成を部分断面の斜視図で示した図２において、意匠パネル１はオーディオ装置２０の外装部を構成する。
【００１２】
意匠パネル１の前面には、矩形の開口１ａが形成されている。この矩形の開口１ａは奥行き有し、移動体としての筐体状をした移動パネル２を矢印ａで示す奥行き方向に移動可能に収容する凹部空間を構成している。
【００１３】
意匠パネル１の前面にはカード型記録媒体４を差し込むための細長い挿入口９が形成されている。この挿入口９の矢印ａで示す奥側には、カード型記録媒体４を装着するための記録媒体ホルダとしてのカードホルダ６が設けられている。カードホルダ６は基板１２を介して意匠パネル１と一体的に固定されている。
【００１４】
挿入口９の横長の下縁にその長手方向を揃えて、矩形板状をした回転扉３が位置している。回転扉３は図３に示すようにその長手方向両端部に軸５を有し、さらにこの軸５の近傍部を基端部とするリンクレバー７が延出し、このリンクレバー７の端部には軸５と平行にもう一つの軸８が形成されている。ここで、回転扉３の裏面３ｂに対してリンクレバー７は、くの字状に折曲したような態位で形成されている。
【００１５】
２つの軸５は、それぞれ、移動パネル２に形成された穴２ａに挿入されて回動可能に支持されている。軸５は移動パネル２の裏面であって挿入口９の上縁よりも上方近傍に位置している。これにより、回転扉３は内開きの構成となる。軸５及びこれを支持する穴２ａは回転扉３を内開き形式で開閉可能に移動パネル２に支持する支持手段を構成している。回転扉３は挿入口９を覆う大きさを有していて後述する図７乃至図９にも示すように、内開きの構成であり、閉じ状態では挿入口を密閉して埃や異物などの進入を防止する。
【００１６】
図３に示すように、回転扉３の長手方向の中央部には軸５と同心の軸部５０が形成されていて、この軸部５０には開脚性のねじりコイルばね１０が装着されている。図４に示すように、ねじりコイルばね１０の一端部は移動パネル２と一体の上板２ｂ（図２参照）に押し当てられ、ねじりコイルばね１０の他端部は回転扉３の裏面３ａに押し当てられている。
【００１７】
これにより、一端部を不動の上板２ｂに押さえられたねじりコイルばね１０は回転扉３の自由端側を押圧することとなり、回転扉３を内開きで常閉とする。このように、回転扉３を内開きの構成としたことで、挿入口９からカード型記録媒体４が差し込まれるのに応じて回転扉３を押し動かして挿入口９を開くことが可能となる。
【００１８】
図５に示したように、移動パネル２の対向する両側面には矢印ａ方向と平行に突条部１１が形成されている。また、開口１ａと連通する凹部空間を構成する外装部１の面には突状部１１と嵌合して矢印ａ方向に移動パネル２の移動方向を規制する溝１ｂが形成されている。これら突状部１１および溝１ｂは移動パネル２を矢印ａ方向（直線方向）に案内する案内手段を構成している。
こうして、移動パネル２は挿入口９を備えると共に回転扉３を搭載して外装部たる意匠パネル１の前面側と挿入口９の奥側に位置するカードホルダとの間を移動することができる。
【００１９】
図３、図５を参照するに、軸８は意匠パネル１の側面に形成された縦方向の長穴１ｃに移動可能に嵌合している。かかる構成により、移動パネル２は、案内手段（突状部１１および溝１ｂ）と相俟って、自由な移動が規制されたこととなる。
【００２０】
前記したように、図７乃至図９に示すように、回転扉３の裏面３ｂに対してリンクレバー７は、くの字状に折曲したような態位で形成されている。
リンクレバー７の両端部の軸５、８およびこれらの軸の支持部によるリンク機構と、案内手段（突状部１１および溝１ｂ）は、移動体の前記移動を条件に回転扉３の開閉動作を可能にする運動伝達手段を構成している。
【００２１】
この運動伝達手段を設けないときには、カード型記録媒体４でねじりコイルばね１０の弾性に抗して回転扉３を押し開くことができたとしても、それは必ずしも移動パネル２の移動を意味しない。運動伝達手段を設けたことで、回転扉３を押し開くときには必ず移動パネル２が移動することになる。
【００２２】
図６に示すように、移動パネル２と外装パネル１との間には伸張性のばね１３を介装させることができる。すなわち、移動パネル２には矢印ａ方向にばね支軸１４を植設し、外装パネル１を挿通させる。そして、このばね支軸１４にばね１３を巻装する。ばね１３の弾性により、移動パネル２は常に矢印ａと逆向きに移動する力（挿入口９からカード型記録媒体４が差し込まれる向きの力に抗する向きの力）で付勢させる。
【００２３】
そして、このばね１３の弾性による移動パネル２の移動、或いは、前記ねじりコイルばね１０による移動パネル２の移動は、移動パネル２の移動経路上に設けたストッパ（例えば、溝１ｂの終端）により阻止される構成とする。なお、ここで、前記ねじりコイルばね１０を設けるときには、ばね１３にかかる構成は必要ない。
移動パネル２の前記阻止状態は、図７に示す初期状態である。以下、図７乃至図９によりカード型記録媒体４の装着動作を説明する。
【００２４】
図７において、カード型記録媒体４は未挿入の状態にあり、意匠パネル１の前面（図中、左端面）は移動パネル２の前面（図中、左端面）と同一面になるように前記ストッパが機能し、突起の無いフラットな状態を保っている。また、回転扉３は閉じ状態にあり、その外面が移動パネル２の前面（図中、左端面）と同一面になっている。軸８は長穴１ｃの下部に位置している。
【００２５】
図８において、カード型記録媒体４を回転扉３に向けて矢印ａ方向に移動させて回転扉３を押すことにより挿入が始まるが、このカード型記録媒体４の挿入動作により、軸５を中心に回転扉３が回動し、同時にリンクレバー７を介して軸８が長穴１ｃに沿って移動し、同時に連動して移動パネル２が前記案内手段（突状部１１および溝１ｂ）に案内されて奥側に配置されたカードホルダ６に向けて移動する。つまり、回転扉３の開き動作に伴い移動パネル２の移動が同時におきる。
【００２６】
カード型記録媒体４を挿入口９へ押し込むことにより、回転扉３はさらに開き、移動パネル２の移動によりカード型記録媒体４はカードホルダ６に挿入されていく。この過程で、回転扉３に肉厚があるので、その厚みを有する端部が前記ねじりコイルばね１０の付勢力でカード型記録媒体４の上面を押圧しカード型記録媒体４の下面を意匠パネル１のガイド上面１ｄに押し当てるようにして挿入時におけるカード型記録媒体４の姿勢を安定させるガイドとなる。
【００２７】
こうして、カード型記録媒体４が回転扉３を押し開けて挿入口９へ進入するとき、常閉のための付勢手段であるねじりコイルばね１０の弾性でカード型記録媒体４は押圧されて、進入路を規制され円滑に挿入されることとなる。同時に、コイルばね１０の弾性でカード型記録媒体４は押圧された状態にあることから、カード挿入完了状態でビビリ振動が生じることはない。
そして、図９において、カード型記録媒体４の後端が外装パネル１の前面から突出しない状態になるまでカード型記録媒体４がカードホルダ６内に押し込まれたときに、カード型記録媒体４はカードホルダ６に付帯して設けられた手段によりカードホルダ６に保持される。
【００２８】
このように、カード型記録媒体４を装着した状態で、その後端部が意匠パネル１のフラットな面から突出しない位置で保持できることから、車載機にかかる欧州法令に適合する構成となし得る。従来、カード型記録媒体を車載用機器に搭載する場合、防塵、静電気、液体混入等の対策としてカード挿入口に開閉扉を設けることが望ましいとされるが、従来の構成では開閉扉の開閉スペース確保のためカードホルダを奥側に配置することからカード型記録媒体４を奥側まで差し込む挿抜操作が難しかった。
【００２９】
この点、本実施の形態では、移動パネル２が移動して、開口１ａが閉じた状態にできることから、挿入口９のまわりを、開口１ａにつづく凹部空間の内部でカード型記録媒体４を把持可能な広さに形成することができる。つまり、図９において、移動パネル２が移動した範囲で開口１ａに相当する空間がカード型記録媒体４の後端部まわりにできているので、カード型記録媒体４をつまんで引き抜くのに十分なスペースを確保できる。
【００３０】
図６で説明したばね１３にかかる構成を設けない構成の場合には、カード型記録媒体４を引き抜くことで、カードホルダ６によるカード型記録媒体４の保持が解除されると、ねじりコイルばね１０の力で移動パネル２及び回転扉３は図７に示した初期状態に復元する。
また、図６で説明したばね１３にかかる構成を設ける場合には、ねじりコイルばね１０は必ずしも必要ではなく、周知のプッシュ／プッシュ方式のラッチ機構を併用することで、図９に示した状態のもとで移動パネル２を指で押すことでラッチが解除されてばね１３の力で移動パネル２および回転扉３を図７に示した初期状態に復元させる。カード型記録媒体４は移動パネル２と共にカードホルダ６から引き抜かれて移動し、意匠パネル１の外部に突出するので、これを攫んで引き抜けばよい。
【００３１】
上記ラッチ機構は図１０に例示するように、例えば、移動パネル２側に被係止部材１５を設け、不動の意匠パネル１側に被係止部材１５を保持する係止部材１６を設置した構成とする。なお、参考までに図７乃至図９にこれら被係止部材１５と係止部材１６との配置例を示した。なお、ばね１３およびラッチ機構を設けた場合で、ねじりコイルばね１０を重ねて設けることも勿論可能である。この場合には、前記したようにねじりコイルばね１０の付勢力でカード型記録媒体４挿入時の押圧機能を得ることができる。
【００３２】
運動伝達手段は、例示したようにリンク機構で構成することができるが、これに代えて、例えば、図１１、図１２に示すように、ラックとピニオンで構成することもできる。意匠パネル１と一体に矢印ａ方向に長いラック１７を設け、このラック１７にピニオン１８を噛ませる。ピニオン１８と一体の軸１９は回転扉３０とも一体であり、移動パネル２を挿通させこの挿通部を軸支させ、意匠パネル１を挿通させこの挿通部は矢印ａ方向の長穴２１とする。
【００３３】
実施の形態２．
本実施の形態は、前記実施の形態１における移動体（移動パネル２）を、例示したように拘束された直線運動でなく、支点軸を中心に揺動させる構成としただけであり、他の構成は前記実施の形態１と共通である。そこで、図１３乃至図１６において、回転扉３は実施の形態１におけるものと構成が同じであるので同じ符号で説明する。その他の部材でも機能が同じものについては、混同を生じないものは同じ符号で説明する。
【００３４】
図１に示したオーディオ装置２０の外装部を構成する意匠パネル１００ｂには、支点軸１００ｂを中心にして開口１００ａの内部側に揺動する移動体としての回転パネル２００が設けられている。この回転パネル２００には、軸５が軸支され、リンクレバー７を介して設けた軸８は意匠パネル１００に形成した長穴１００ｃに係合している。回転扉３は図示しないばね（例えば、回転パネル２００を支点軸１００ｂを中心に図中反時計回りに回動させるばね）の力で回転パネル２００に設けられた挿入口９００を塞ぐように付勢されていて、この付勢力による回転扉３の回転は図示しないストッパにより阻止されている。
【００３５】
カード型記録媒体４を挿入する前の状態である初期状態では図１４に示すように、挿入口９００は内開きの回転扉３により閉ざされている。回転扉３は開口１００ａを塞ぎ、意匠パネル１００の前面はフラットな状態を保っている。
【００３６】
以下、図１４乃至図１６によりカード型記録媒体４の装着動作を説明する。
【００３７】
図１４において、カード型記録媒体４は未挿入の状態にあり、意匠パネル１００の前面（図中、左端面）は回転パネル２００の前面（図中、左端面）と同一面になるように前記ストッパが機能し、突起の無いフラットな状態を保っている。また、回転扉３は閉じ状態にあり、その外面が回転パネル２２２の前面（図中、左端面）と同一面になっている。軸８は長穴１００ｃの下部に位置している。
【００３８】
図１５において、カード型記録媒体４を回転扉３に向けて矢印ａ方向に移動させて回転扉３を押すことにより挿入が始まるが、このカード型記録媒体４の挿入動作により、軸５を中心に回転扉３が回動し、同時にリンクレバー７を介して軸８が長穴１００ｃに沿って移動し、同時に連動して回転パネル２００が支点軸１００ｂを中心に奥側に配置されたカードホルダ６に向けて揺動する。つまり、回転扉３の開き動作に伴い回転パネル２の移動が同時におきる。
【００３９】
カード型記録媒体４を挿入口９００へ押し込むことにより、回転扉３はさらに開き、回転パネル２００の揺動によりカード型記録媒体４はカードホルダ６に挿入されていく。この過程で、回転扉３に肉厚があるので、その厚みを有する端部が前記ばねの付勢力でカード型記録媒体４の上面を矢印ｂの向きに押圧しカード型記録媒体４の面を意匠パネル１００のガイド面１００ｄに押し当てるようにして挿入時におけるカード型記録媒体４の姿勢を安定させるガイドとなる。
【００４０】
こうして、カード型記録媒体４が回転扉３を押し開けて挿入口９００へ進入し、図１６において、カード型記録媒体４の後端が外装パネル１００の前面から突出しない状態になるまでカード型記録媒体４がカードホルダ６内に押し込まれたときに、カード型記録媒体４はカードホルダ６に付帯して設けられた手段によりカードホルダ６に保持される。
【００４１】
このように、カード型記録媒体４を装着した状態で、その後端部が意匠パネル１００のフラットな面から突出しない位置で保持できることから、車載機にかかる欧州法令に適合する構成となし得る。図１６において、回転パネル２００が揺動した範囲で開口１００ａに相当する空間がカード型記録媒体４の後端部まわりにできているので、カード型記録媒体４をつまんで引き抜くのに十分なスペースを確保できる。
なお、本実施の形態１、２において、図の上下方向は必ずしも鉛直方向を示すものではなく、部材の方向に設定して実施することができる。
【図面の簡単な説明】
【００４２】
【図１】カード型記録媒体を用いる機器の外観斜視図である。
【図２】意匠パネルの内部構造を説明した部分断面斜視図である。
【図３】回転扉の斜視図である。
【図４】ねじりコイルばねの装着態様を説明した斜視図である。
【図５】移動パネルおよび周辺部材の斜視図である。
【図６】ばねの装着態様を説明した部分断面図である。
【図７】記録媒体の装着プロセスを説明した図である。
【図８】記録媒体の装着プロセスを説明した図である。
【図９】記録媒体の装着プロセスを説明した図である。
【図１０】一対のラッチ機構の概略正面図である。
【図１１】運動伝達手段を例示したラックとピニオン機構の正面図である。
【図１２】運動伝達手段を例示したラックとピニオン機構の部分断面側面図である。
【図１３】意匠パネルの内部構造を説明した部分断面斜視図である。
【図１４】記録媒体の装着プロセスを説明した図である。
【図１５】記録媒体の装着プロセスを説明した図である。
【図１６】記録媒体の装着プロセスを説明した図である。
【符号の説明】
【００４３】
１，１００  （外装部としての）意匠パネル、２  （移動体としての）移動パネル、４  カード型記録媒体、５  軸、２００  （移動体としての）回転パネル。
【図１】
2006221267.tif 000003
【図２】
2006221267.tif 000004
【図３】
2006221267.tif 000005
【図４】
2006221267.tif 000006
【図５】
2006221267.tif 000007
【図６】
2006221267.tif 000008
【図７】
2006221267.tif 000009
【図８】
2006221267.tif 000010
【図９】
2006221267.tif 000011
【図１０】
2006221267.tif 000012
【図１１】
2006221267.tif 000013
【図１２】
2006221267.tif 000014
【図１３】
2006221267.tif 000015
【図１４】
2006221267.tif 000016
【図１５】
2006221267.tif 000017
【図１６】
2006221267.tif 000018